(57)【特許請求の範囲】
【請求項１】
側面に光入射光を、上面に光出射光を有した導光板と、この導光板の前記入射面に対向配置した線状光源と、この線状光源と導光板の前記光入射面を包持するように配置した反射シートと、前記光出射面上に配置した光学シートと、これらを位置決め配置するためのケースであって、前記導光板の光出射面と対応した開口を有するケースとを備え、前記光学シートの光源側端縁を前記ケース開口の端縁よりも内側に配置するとともに、前記光出射面側に位置する前記反射シートの一端を、前記ケースに固定した面発光装置であって、
前記反射シートの一端を、前記ケース開口の端縁と前記光学シートの光源側端縁の間に形成される隙間を下側から覆うように配置したことを特徴とする面発光装置。
【請求項２】
前記反射シートの一端のケース内側に突出させる長さが、面発光装置と組み合わせて使用する表示装置の有効表示領域とケース開口の端縁との距離を越えないように配置した請求項１に記載の面発光装置。
【発明の詳細な説明】
【０００１】
【発明の属する技術分野】
本発明は、透過型の表示装置に好適なエッジライト式の面発光装置に関する。
【０００２】
【従来の技術】
透過型の表示装置、例えば透過型液晶表示装置などのバックライトとして利用される面発光装置は、表示装置が狭額縁化、薄型化されるに伴い、これに対応して、非発光領域の狭額縁化や薄型化が図られている。例えば、ケースと平面的な重なりを持って配置していた拡散シートやプリズムシート等の光学シートを、ケースとの平面的な重なりを削減して配置することによって、光学シートの厚み相当分の薄型化を図っている。
【０００３】
ところで、エッジライト式の面発光装置においては、導光板の側面に配置した線状光源の光を効率良く導光板に与えるために、線状光源を包むように反射シートを配置している。この反射シートの一端を固定する構造としては、特開平８−６４０２１号公報等に開示されているように、導光板の上面に両面接着剤などを用いて貼付する構造Ａと、ケースのひさし部分の裏面に両面接着剤などを用いて貼付する構造Ｂが知られている。上述のように薄型化を図った面発光装置に、これら構造Ａ，Ｂを適用した場合の概略構造を図２（Ａ），（Ｂ）に示している。
【０００４】
構造Ａを採用した図２（Ａ）の場合では、反射シート１０５と導光板１０２を接着する接着剤１１０が、導光板１０２と接する領域において、光源１０３の光を乱反射させ、その乱反射光に起因して異常発光（輝線）が生じるという問題がある。これに対処するため、導光板１０２の下面、あるいはそれに接する反射板にグラデ−ションのドット印刷１１１を施して異常発光の発生を防止していた。
【０００５】
一方、構造Ｂを採用した図２（Ｂ）の場合では、光学シート１０８とケース１０４のひさし１４４部分の間の隙間領域１０９付近から異常発光が生じるという問題がある。これに対処するため、光学シート１０８の表面に、この異常発光を遮光ないし吸収するための黒印刷１１２等を施していた。
【０００６】
このように、従来構造では、異常発光（輝線等）を抑制するために、余分の対策構造を必要としていた。
【０００７】
【発明が解決しようとする課題】
本発明は、上記の点を考慮して成されたもので、均一な面発光を得ることができる面発光装置を提供することを主な課題とする。また、異常発光（輝線等）の発生を簡単な構造によって抑制することができる面発光装置を提供することを課題とする。
【０００８】
【課題を解決するための手段】
本発明の面発光装置は、側面に光入射光を、上面に光出射面を有した導光板と、この導光板の前記光入射面に対向配置した線状光源と、この線状光源と導光板の前記光入射面を包持するように配置した反射シートと、前記光出射面上に配置した光学シートと、これらを位置決め配置するためのケースであって、前記導光板の光出射面と対応した開口を有するケースとを備え、前記光学シートの光源側端縁を前記ケース開口の端縁よりも内側に配置するとともに、前記光出射面側に位置する前記反射シートの一端を、前記ケースに固定した面発光装置であって、前記反射シートの一端を、前記ケース開口の端縁と前記光学シートの光源側端縁の間に形成される隙間を覆うように配置したことを特徴とする。
【０００９】
本発明の面発光装置は、反射シートの一端のケース内側に突出させる長さが、面発光装置と組み合わせて使用する表示装置の有効表示領域とケース開口の端縁との距離を越えないように配置したことを特徴とする。
【００１０】
【発明の実施の形態】
以下本発明の実施例を図面を参照して説明する。図１に断面図を示すように、面発光装置１は、透明な樹脂製で平板状の導光板２の光入射面となる一側面２１に線状光源３を対向配置している。この線状光源３は、例えば直径が２〜３ｍｍの冷陰極管によって構成され、その両端部分がケース４の適所に支持される。ケース４は、前記導光板２や線状光源３、それらに付随する部材を位置決め配置するために、上下のケース４１，４２によって構成している。上ケース４１には、前記導光板２の光出射面となる上面２２に対応する光取出用の開口４３を形成しているとともに、この開口４３を囲むように、所定幅のひさし４４を形成している。
【００１１】
線状光源３の光を導光板２に効率良く案内するために、線状光源３を包むように反射シート５を配置している。この反射シート５は、フレキシブルな白色樹脂シートやアルミニウムを蒸着した樹脂フィルム等によって構成し、線状光源３と導光板２の光入射面２１を包持するように、一端５１を導光板２の上面２２とひさし４４の間に配置し、他端５２を、導光板２の下面と下ケース４２の間に配置している。反射シート５の一端５１は、その端縁５３をひさし４４の端縁（＝開口４３の端縁）よりも開口４３側に若干突出させて配置し、ひさし４４の裏面に両面接着剤６等によって固定している。反射シート５の他端５２は、線状光源３の交換を容易にするために、導光板３の下面と下ケース４２の間に着脱自在に挿入配置している。線状光源３には、耐熱樹脂製のＯリング７を所定数装着し、このＯリング７によって線状光源３と反射シート５の間に所定の空間を確保している。
【００１２】
導光板３の上面２２には、出射光の均一化等を図るために、拡散シートやプリズムシート等の光学シート８を所定枚数配置している。この例では、下から拡散シート、２枚のプリズムシート、拡散シートの順に積層配置している。これらの光学シート８は、基本的にはひさし４４の上に配置するが、光学シート８の一部、この例では、下から３枚は、装置の薄型化のために、線状光源３側の端縁のみを、ひさし４４の上を避けて、開口部４３内に配置している。このように、一部の光学シート８の線状光源側の端縁が開口４３内に位置することによって、光学シート８の端縁とひさし４４の端縁との間に、導光板２の光出射面２２が露出する隙間９が生じる。そして、この隙間９付近からの光漏れ、光学シート８端縁による異常反射等に起因して異常発光が発生することが多い。
【００１３】
しかしながら、反射シート５によって前記隙間９を下側から覆うように、反射シート５の一端端縁５３を、ひさし４４の端縁よりも若干開口４３側に突出させているので、導光板２から出射してこの隙間９に入り込む光を反射シート５によって反射あるいは遮断することでき、隙間９に入り込む光に起因する異常発光を効果的に低減することができる。
【００１４】
さらにまた、反射シート５によって前記隙間９と光学シート８の光源側端縁近傍を下側から覆うように、反射シート５の一端端縁５３を、開口４３内に位置する光学シート８の光源側端縁よりも若干内側に位置させているので、導光板２から出射してこの隙間９に入り込む光に加えて、導光板２から出射して光学シート８の光源側端縁に向かう光を、反射シート５によって反射あるいは遮断することでき、隙間９に入り込む光や、光学シート８の端縁反射に起因する異常発光を効果的に低減することができる。
【００１５】
尚、反射シート５の一端５１を内側に突出させる長さＣを余り長くすると、有効照明領域が狭くなるので、突出長さＣは、この面発光装置１と組み合わせて使用する表示装置の有効表示領域に対応して決定される。例えば、表示装置の有効表示領域がひさし４４から距離Ｄ離れた位置に設定されている場合は、ひさし４４からの距離Ｃを、前記距離Ｄを越えないように設定する。因みに、１３．３型の液晶表示装置のバックライトに、この面発光装置１を組み合わせて使用する場合は、前記距離Ｄが１ｍｍ程度に設定されるので、前記距離Ｃは、前記距離Ｄの半分の０．５ｍｍ程度に設定される。
【００１６】
このように、既存の反射シート５を利用して線状光源３近傍の異常発光を抑制することができるので、構造の簡素化を図ることができる。また、反射シート５を、導光板２側ではなくケース４側に固定するので、反射シート５と導光板２の接着部分に起因する異常発光の発生も殆ど生じない。
【００１７】
【発明の効果】
以上のように本発明によれば、線状光源近傍で発生する異常発光を抑制して均一な面発光を得ることができる面発光装置を提供することができる。また、既存の反射シートを利用して異常発光の発生を抑制することができ、構造の簡素化を図った面発光装置を提供することができる。
【図面の簡単な説明】
【図１】本発明の一実施例を示す断面図である。
【図２】（Ａ），（Ｂ）は２種類の従来構造（構造Ａ，構造Ｂ）を示す断面図である。
【符号の説明】
１    面発光装置
２    導光板
３    線状光源
４    ケース
５    反射シート
６    接着剤
８    光学シート
【図１】
0003547962.tif 000002
【図２】
0003547962.tif 000003